(57)【要約】【課題】鋼板をロール矯正機によって複数パスで矯正するに際して、複数の鋼板を連続的にロール矯正機に送り込みながら矯正することで、矯正ピッチを短縮して生産性の向上を可能にする鋼板の連続矯正方法を提供する。【解決手段】２枚の鋼板７ａ、７ｂを一組にして往復搬送しながらロール矯正機１によって複数パスで矯正することとし、搬送テーブル２、３に停止位置基準センサー４、５を設置し、鋼板７ａ、７ｂの板厚情報と停止位置基準センサー４、５の検知結果に基づいて鋼板７ａ、７ｂの搬送を制御する。【選択図】図１
2008100260.tif 000002
【特許請求の範囲】
【請求項１】
複数の鋼板を一組にして往復搬送しながらロール矯正機によって複数パスで矯正することを特徴とする鋼板の連続矯正方法。
【請求項２】
ロール矯正機の前面および後面の搬送テーブルにおいて、鋼板が一時停止する際の基準となる位置に停止位置基準センサーを設置し、各鋼板の板厚情報と前記停止位置基準センサーの検知結果に基づいて各鋼板の搬送を制御することを特徴とする請求項１に記載の鋼板の連続矯正方法。
【請求項３】
ロール矯正機で先に矯正を開始する先行の鋼板に続いて矯正を開始する後行の鋼板が停止位置基準センサーで検知されたら、後行の鋼板を一時停止させ、先行の鋼板がロール矯正機を抜けて、後行の鋼板に対するロール矯正機の圧下設定が完了したら、後行の鋼板をロール矯正機に送り込むことを特徴とする請求項２に記載の鋼板の連続矯正方法。
【請求項４】
ロール矯正機の前面に板厚測定手段を設置して、その板厚測定手段によって各鋼板の板厚を確認することを特徴とする請求項２または３に記載の鋼板の連続矯正方法。
【発明の詳細な説明】
【技術分野】
【０００１】
本発明は、複数の鋼板（厚鋼板）を連続的にロール矯正機（レベラー）に送り込みながら矯正する鋼板の連続矯正方法に関するものである。
【背景技術】
【０００２】
鋼板をロール矯正機によって矯正する際は、通常、複数パスを要することが多い（例えば、特許文献１参照。）。その際には、ロール矯正機の前後面の搬送テーブルを１枚の鋼板のみで占有し、その鋼板を往復搬送しながらロール矯正機での矯正が行われていた（例えば、特許文献２参照。）。
【特許文献１】特開２００５−２８８５１０号公報
【特許文献２】特開昭５９−２０９４２３号公報
【発明の開示】
【発明が解決しようとする課題】
【０００３】
しかし、上記のように、鋼板を往復搬送しながら１枚ずつロール矯正機で矯正を行うのでは、ある鋼板の矯正開始から次の鋼板の矯正開始までの間隔（矯正ピッチ）が長くなり、生産性（単位時間当りの処理量）を阻害してしまうという問題がある。
【０００４】
本発明は、上記のような事情に鑑みてなされたものであり、鋼板をロール矯正機によって複数パスで矯正するに際して、複数の鋼板を連続的にロール矯正機に送り込みながら矯正することで、矯正ピッチを短縮して生産性の向上を可能にする鋼板の連続矯正方法を提供することを目的とするものである。
【課題を解決するための手段】
【０００５】
上記課題を解決するために、本発明は以下の特徴を有する。
【０００６】
［１］複数の鋼板を一組にして往復搬送しながらロール矯正機によって複数パスで矯正することを特徴とする鋼板の連続矯正方法。
【０００７】
［２］ロール矯正機の前面および後面の搬送テーブルにおいて、鋼板が一時停止する際の基準となる位置に停止位置基準センサーを設置し、各鋼板の板厚情報と前記停止位置基準センサーの検知結果に基づいて各鋼板の搬送を制御することを特徴とする前記［１］に記載の鋼板の連続矯正方法。
【０００８】
［３］ロール矯正機で先に矯正を開始する先行の鋼板に続いて矯正を開始する後行の鋼板が停止位置基準センサーで検知されたら、後行の鋼板を一時停止させ、先行の鋼板がロール矯正機を抜けて、後行の鋼板に対するロール矯正機の圧下設定が完了したら、後行の鋼板をロール矯正機に送り込むことを特徴とする前記［２］に記載の鋼板の連続矯正方法。
【０００９】
［４］ロール矯正機の前面に板厚測定手段を設置して、その板厚測定手段によって各鋼板の板厚を確認することを特徴とする前記［２］または［３］に記載の鋼板の連続矯正方法。
【発明の効果】
【００１０】
本発明においては、複数の鋼板を一組として往復搬送しながらロール矯正機によって矯正するようにしているので、矯正ピッチが短縮され、生産性が向上する。
【発明を実施するための最良の形態】
【００１１】
本発明の一実施形態を図面に基づいて説明する。
【００１２】
図１は、本発明の一実施形態におけるロール矯正設備の構成を示すものであり、ロール矯正機１と、ロール矯正機１の前面（上流側）に配置された前面搬送テーブル２と、ロール矯正機１の後面（下流側）に配置された後面搬送テーブル３と、前面搬送テーブル２に設置された前面停止位置基準センサー４と、後面搬送テーブル３に設置された後面停止位置基準センサー５と、前面搬送テーブル２に設置された板厚測定器（平坦度計）６とで構成されている。
【００１３】
なお、上記のロール矯正機１の前面（上流側）とは、複数パスで矯正する場合の最初のパスを開始する側のことを示す。
【００１４】
また、前面停止位置基準センサー４と後面停止位置基準センサー５は、鋼板が一時停止する際の基準となる位置に設置されたセンサーである。ここでは、光電素子を用いたセンサーであり、受光状態がＯＦＦ、遮光状態がＯＮとなる。
【００１５】
また、板厚測定器６は、上位計算機（図示せず）から送られてきた各鋼板の板厚情報を確認するためのものであり、当該鋼板の板厚が板厚情報と異なっていて、板厚情報に基づいて圧下設定したロール矯正機１に異常噛込みや設備損傷が発生することを回避するようにしている。なお、ここでは、各パスでの矯正実績を把握するために、距離計を鋼板幅方向に必要数配置した平坦度計が設置されており、その平坦度計が板厚測定器を兼ねている。
【００１６】
そして、この実施形態においては、上記のように構成されたロール矯正設備を用いて、複数の鋼板を一組にして往復搬送しながら複数パスで矯正することとし、その際に、各鋼板の板厚情報と停止位置基準センサー４、５の検知結果に基づいて、各鋼板の搬送を制御するようにしている。
【００１７】
以下にその手順を述べる。なお、ここでは、２枚の鋼板７ａ、7ｂを一組とした場合についてである。なお、ロール矯正設備には、鋼板７ａ、鋼板7ｂの順で搬送されてきたとしている。したがって、奇数パス（上流側から下流側に向かうパス）では、鋼板７ａが先行材、鋼板７ｂが後行材となり、偶数パス（下流側から上流側に向かうパス）では、鋼板７ｂが先行材、鋼板７ａが後行材となる。
【００１８】
（Ｓ１）前面搬送テーブル２上に鋼板７ａ、鋼板7ｂを載置して前進させる。
【００１９】
（Ｓ２）鋼板７ａの先端部が通過することによって前面停止位置基準センサー４がＯＮになったら、鋼板７ａと鋼板7ｂをその位置で一時停止させる。
【００２０】
（Ｓ３）その際に、板厚測定器６によって鋼板７ａの板厚を測定し、上位計算機から送られてきた鋼板７ａの板厚情報と一致していることを確認する。
【００２１】
（Ｓ４）次に、鋼板７ａに対するロール矯正機１の圧下設定が完了したら、鋼板７ａと鋼板７ｂを連ねて搬送し、鋼板７ａをロール矯正機１に送り込み、鋼板７ａの矯正を行う。
【００２２】
（Ｓ５）そして、鋼板７ａをロール矯正機１に送り込むのと同時に、鋼板７ｂを前進させ、鋼板７ｂの先端部が通過することで前面停止位置基準センサー４がＯＮになったら、鋼板７ｂをその位置で一時停止させ、板厚測定器６によって鋼板７ｂの板厚を測定し、上位計算機から送られてきた鋼板７ｂの板厚情報と一致していることを確認する。
【００２３】
（Ｓ６）鋼板７ａがロール矯正機１を抜けて、鋼板７ｂに対するロール矯正機１の圧下設定が完了したら、鋼板７ｂをロール矯正機１に送り込んで、鋼板７ｂの矯正を行う。
【００２４】
（Ｓ７）ロール矯正機１を抜けた鋼板７ａの後端部が通過することで後面停止位置基準センサー５がＯＦＦになったら、鋼板７ａをその位置で一時停止させる。
【００２５】
（Ｓ８）そして、鋼板７ｂが鋼板７ａに所定距離まで近づいてきたら、鋼板７ａと鋼板７ｂを更に下流側に搬送し、鋼板７ｂの後端部が通過することで後面停止位置基準センサー５がＯＦＦになったら、その位置で鋼板７ａと鋼板７ｂを一時停止させる。これによって、１パス目の矯正が終了となる。
【００２６】
（Ｓ９）以下、２パス目以降の矯正を（Ｓ４）〜（Ｓ８）の手順に基づいて行う。ただし、前述したように、偶数パスでは、鋼板７ｂが先行材、鋼板７ａが後行材となる。
【００２７】
以上が、２枚の鋼板７ａ、７ｂを一組とした場合の手順であるが、３枚の鋼板を一組とした場合でも上記と同様の手順によって行えばよい。
【００２８】
ただし、その際に、板厚が同一でない鋼板が混在している場合には、各鋼板のパス回数が同じになるようにロール矯正機１の圧下設定をそれぞれの鋼板について行うか、あるいは、パス回数が少なくてすむ鋼板には矯正を行わないパス（空パス）を設けて各鋼板のパス回数が同じになるようにする。
【００２９】
以上述べたように、この実施形態においては、例えば２枚の鋼板７ａ、７ｂを一組として往復搬送しながらロール矯正機１によって矯正するようにしているので、矯正ピッチが短縮され、生産性を向上させることができる。
【図面の簡単な説明】
【００３０】
【図１】本発明の一実施形態におけるロール矯正設備の構成を示す図である。
【符号の説明】
【００３１】
１  ロール矯正機
２  前面搬送テーブル
３  後面搬送テーブル
４  前面停止位置基準センサー
５  後面停止位置基準センサー
６  板厚測定器（平坦度計を兼ねる）
７ａ、７ｂ  鋼板
【図１】
2008100260.tif 000003